(57)【特許請求の範囲】
【請求項１】
屋根の野地板の棟と軒の間に並設した横桟に瓦を緊結する瓦緊結構造において、
前記瓦の棟側下面又は前記横桟のいずれか一方に嵌合突部を形成し、他方に嵌合凹部を形成し、
前記嵌合突部は先端に係止部を有し、前記嵌合凹部は、棟側に前記係止部が挿通自在な広穴部と、瓦を軒側にスライド移動させた際、前記係止部が脱落不能に係止する係止受部とを有することを特徴とする瓦緊結構造。
【発明の詳細な説明】
【０００１】
【発明の属する技術分野】
本発明は、簡単かつ正確に瓦葺きできる瓦緊結構造に関するものである。
【０００２】
【従来の技術】
従来の瓦葺き工法では、建物の屋根の野地板を下地板・ルーフィングの順で覆い、軒に対して所定間隔で複数本の横桟を並設して打ち付け、引掛け桟工法や土葺き工法により瓦葺きを行っている。
【０００３】
前記引掛け桟工法では、瓦に貫通孔を穿設し、この貫通孔を介して釘やネジを使用することにより直接横桟に瓦を固定している。一方、土葺き工法では、瓦を土の持つ粘性を利用して固定している。
【０００４】
【発明が解決しようとする課題】
しかしながら、引掛け桟工法では、瓦に貫通孔を穿設しなければならない。このため、貫通孔を介して軒側から風や水が侵入する。特に、水は毛細管現象により内部にまで侵入し、場合によっては雨漏りの原因となる恐れがあるので、そのための対策を講じる必要がある。また、釘やネジにより取り付けるのは、手間がかかる。しかも、各瓦を適切な位置に正確に葺くためには熟練を要する。一方、土葺き工法では、瓦の位置決めに自由度が大きく、正確な瓦葺きが困難である。この場合も、各瓦を適切な位置に正確に葺くためには熟練を要する。
【０００５】
そこで、本発明は、簡単な構造であっても、容易かつ安価に正確な瓦葺きを行うことのできる瓦緊結構造を提供することを課題とする。
【０００６】
【課題を解決するための手段】
前記課題を達成するため、本発明では、屋根の野地板の棟と軒の間に並設した横桟に瓦を緊結する瓦緊結構造において、前記瓦の棟側下面又は前記横桟のいずれか一方に嵌合突部を形成し、他方に嵌合凹部を形成したものである。
【０００７】
前記嵌合突部は、プレス加工等により瓦と一体に形成してもよいし、後加工により接着等で一体化してもよい。また、後加工で一体化する場合、粘土、スレート、金属、合成樹脂等の種々の材料が使用可能である。
【０００８】
この構成によれば、瓦の施工は、軒から棟側に向かって順次瓦の嵌合突部を横桟の嵌合凹部に嵌合させて行けばよい。これにより、各瓦を正確に所定寸法ずつ重ね合わせながら葺くことができる。
【０００９】
前記嵌合突部は先端に係止部を有し、前記嵌合凹部は、棟側に前記係止部が挿通自在な広穴部と、瓦を軒側にスライド移動させた際、前記係止部が脱落不能に係止する係止受部とを有する構成とするのが好ましい。
【００１０】
この構成によれば、瓦の施工は、嵌合突部を挿入容易な広穴部に挿入し、軒側に向かって移動させるだけでよい。瓦は、嵌合突部に形成した係止部が嵌合凹部の係止受部に係止することにより、抜け止めされた状態で所望の位置にセットされる。
【００１１】
【発明の実施の形態】
以下、本発明の実施の形態を添付図面に従って説明する。
【００１２】
（第１の実施の形態）  図１は第１の実施の形態に係る瓦１の断面図を示す。この瓦１は、粘土を水で調合してドレン材とし、プレス加工により平板状にし、乾燥して白粉とした後、上薬を塗り（塗らなくてもよい）、釜で約２４時間焼成することにより形成される（上薬を塗ったものを陶器瓦、塗らないものをいぶし瓦という。）。瓦１の棟側下端には、下記する横桟８に対して面接触する平坦面２が形成され、その中央部には下方に向けて嵌合突部３が形成されている。この嵌合突部３は、前記プレス加工と同時に形成される。なお、嵌合突部３の突出量が不十分な場合には、プレス機の金型に、嵌合突部３を形成するための凹部のほかに、対向する金型に突部を設けて、瓦１の一部を強制的に凹部に押し込むようにすればよい。
【００１３】
前記瓦１が葺かれる屋根構造は図２に示すようになっている。すなわち、野地板４の表面には、縦桟５が袖側と平行に所定間隔でスクリュービスやステンレス製の釘等により固定されている。縦桟５には、例えば、アルミ合金等を短冊状に形成したものが使用されている。また、縦桟５には、長手方向に所定間隔で突出する一対の突条部６が所定ピッチで形成され、両突条部６で下記する横桟８を保持する溝部７を構成している。縦桟５の長さは棟・軒間の寸法と同一であり、野地板４に固定した状態では、前記溝部７が横方向に整列するようになっている。
【００１４】
また、前記縦桟５に直交して横桟８が設けられている。横桟８は、合成樹脂材料を断面四角の棒状に成形したものである。横桟８は、縦桟５の溝部７に保持されることにより、縦桟５とは直交して所定間隔で正確に位置決めされる。横桟８には、長手方向に沿って前記瓦１の嵌合突部３が嵌合する嵌合凹部９が形成されている。この嵌合凹部９は、その上半部が嵌合突部３を挿入しやすいように上方側に向かって徐々に開口している。また、嵌合凹部９の間隔は、きき幅（瓦葺きをした際、表面に露出する部分の軒に沿った方向の寸法）と同一である。これにより、瓦葺きする場合、前記瓦１の嵌合突部３を嵌合凹部９に嵌合するだけで、各瓦１の位置決めが正確にできるようになっている。
【００１５】
次に、瓦葺き工法について説明する。
【００１６】
瓦葺き工法では、まず、野地板４に縦桟５を固定する。縦桟５の固定では、予め野地板４の棟及び軒側に所定間隔（本実施の形態では、きき幅の３倍の寸法）で付けた印を参照して配置し、スクリュービス等により固定する。この状態では、前述のように、各溝部７が軒（又は棟）に沿って整列する。そこで、横桟８を溝部７に係合し、前記縦桟５と同様に、スクリュービス等により野地板４に固定する。これにより、横桟８は、縦桟５に対して所望の位置に正確に取り付けることができる。また、横桟８は、縦桟５と直交する部分で縦桟５の肉厚分だけ野地板４から浮き上がる。そこに形成された隙間Ａは、瓦１と野地板４の間に雨水等が侵入した場合、軒側に流下させる役割を果たす。
【００１７】
前記瓦１は、縦桟５及び横桟８が固定された状態で葺かれる。この瓦葺きでは、従来、瓦１は順次縁部を重ねるようにして、軒側から棟側へ、又、一方の袖側から他方の袖側へと葺く必要があったが、本願では図３に示すように軒側の瓦１から、順次、その嵌合突部３を横桟８の嵌合凹部９に嵌合するだけでよい。嵌合凹部９は上方側が広がっているため、嵌合突部３の挿入が容易である。また、嵌合凹部９は予め横桟８に高精度で形成されているため、瓦１は正確に位置決め可能である。したがって、図４に示すように、各瓦１の縁部を正確に重ね合わせることができる。しかも、軒側から順次葺いて行くのであれば、複数の箇所から同時に作業を始めることができ、開始箇所の制約を受けることがない。つまり、複数の箇所から作業を開始した場合であっても、既に施工した瓦１を持ち上げて新たに施工する瓦１の縁部を差し込みながら、その嵌合突部３を横桟８の嵌合凹部９に嵌合するようにすれば簡単に作業を進めることができる。なお、嵌合突部３を嵌合凹部９に嵌合した後は、この嵌合凹部９にシール剤等を注入して固定すれば、取付強度を高めることが可能である。
【００１８】
このように、前記第１の実施の形態によれば、野地板４に対して縦桟５を正確に位置決めさえすれば、この縦桟５に対して横桟８を正確に位置決めすることができる。また、横桟８は合成樹脂材料からなるため、嵌合凹部９を所望の位置に正確に形成することができる。したがって、瓦１に形成した嵌合突部３を、横桟８の嵌合凹部９に嵌合するだけで、簡単かつ正確に各瓦１を所望の位置に取り付けることができる。
【００１９】
なお、前記第１の実施の形態では、瓦１に形成する嵌合突部３は１箇所のみとしたが、複数箇所であってもよく、又、棒状でなくても幅広の突条構造であってもよい。特に、嵌合突部３を２つ設ける場合、棟・軒方向に並設すれば、軒側からの風等に対する取付強度をさらに高めることが可能である。この場合、横桟８を挟み込むようにして取り付ける構造も採用可能である。
【００２０】
（第２の実施の形態）  前記第１の実施の形態では、瓦１に形成した嵌合突部３を横桟８に形成した嵌合凹部９に嵌合するだけで瓦１の施工を行うようにしたが、嵌合突部３及び嵌合凹部９を次のように形成してもよい。すなわち、図５に示すように、嵌合突部３を、先端に幅広となる係止部１０を有する構造とする。一方、嵌合凹部９を広穴部１１と係止受部１２とからなる構造とする。広穴部１１は、棟側に形成され、前記係止部１０を挿通自在とするものである。また、係止受部１２は、軒側に形成され、前記広穴部１１の上方開口部を嵌合突部３の軸部が挿通可能なスリット１３が形成されるように覆った構造である。
【００２１】
この場合、瓦１の施工は、嵌合突部３を挿入容易な広穴部１１に挿入し、軒側に向かって移動させることにより行う。このため、嵌合突部３を嵌合凹部９に嵌合するのに比べて少ない労力で瓦１を葺くことができる。瓦１は、嵌合突部３に形成した係止部１０が嵌合凹部９の係止受部１２に係止することにより、抜け止めされた状態で所望の位置にセットされる。したがって、嵌合突部３を嵌合凹部９に嵌合させた後、その嵌合部分にシール剤等を注入しなくても、十分な強度を得ることができる。このため、軒側からの風力を受けても瓦１は外れることはない。
【００２２】
なお、前記係止部１０は、瓦１の嵌合突部に予め金属等の係止棒を一体化して形成しておくようにしてもよい。また、後に、嵌合突部３にリング等を嵌合して嵌合凹部９からの抜け止めに利用するようにしてもよい。
【００２３】
前記実施の形態では、瓦１に嵌合部となる嵌合突部３を形成し、横桟８に嵌合受部となる嵌合凹部９を形成するようにしたが、瓦１に嵌合凹部、横桟８に嵌合突部を形成するようにしても構わない。但し、瓦１の強度、横桟８の取扱いの便宜等を考慮すれば、前記実施の形態に係る構造が好ましい。
【００２４】
また、前記実施の形態では、嵌合突部３をプレス加工により瓦１の成形と同時に形成するようにしたが、接着等の後加工により形成するようにしてもよい。この場合、後加工により取り付ける嵌合突部３は、合成樹脂、瓦１と同様な粘土や赤面スレート、ステンレス等の金属等、種々の材料を使用可能である。また、その形状も自由に形成することができ、例えば、断面円形、楕円、六角形等としてもよく、楔状や、前記第２の実施の形態の係止部１０と同様な形状とすることも可能である。前記瓦１には嵌合突部３を位置決めしたり、仮止めしたりするための凹部を形成するようにしてもよい。これにより、嵌合突部３の位置決め精度を高めることができる。そして、瓦１の嵌合突部３が当接する部分を平坦に形成しておけば、嵌合突部３の瓦１に対する直角度を高精度にすることができる。
【００２５】
さらに、前記実施の形態では、和型に適用する場合について説明したが、Ｓ型、平板型等の種々の瓦に適用可能であるのは勿論である。
【００２６】
【発明の効果】
以上の説明から明らかなように、本発明に係る瓦緊結構造によれば、瓦に形成した嵌合突部を横桟に形成した嵌合凹部に嵌合させるという簡単な構造で、容易に瓦を葺くことができる。嵌合凹部は、野地板に対して正確に位置決め固定される横桟に高精度に形成されているため、前記嵌合突部を嵌合するだけで瓦を正確な位置に施工することができる。
【００２７】
特に、嵌合突部の先端に係止部を形成し、嵌合凹部に広穴部及び係止受部を形成したものでは、瓦の施工をより簡単に行うことができ、所望の取付強度を得ることも可能である。
【図面の簡単な説明】
【図１】  本発明に係る瓦の斜視図（ａ）及び矢視図（ｂ）である。
【図２】  図１の瓦を葺く屋根を示す斜視図である。
【図３】  図１の瓦を葺いた状態を示す断面図である。
【図４】  図３の平面図である。
【図５】  他の実施の形態に係る瓦の側面図（ａ）、嵌合受部の断面図（ｂ）、（ｂ）の平面図（ｃ）である。
【符号の説明】
１  瓦
３  嵌合突部
４  野地板
８  横桟
９  嵌合凹部
【図１】
0003771332.tif 000002
【図２】
0003771332.tif 000003
【図３】
0003771332.tif 000004
【図４】
0003771332.tif 000005
【図５】
0003771332.tif 000006